(57)【要約】 【課題】  壁面への取り付けや取り外しが容易で、且つ、美観上も好ましい取り付けができる収納体の取付具を提供する。【解決手段】  板材２０により物品収納可能に構成された収納体Ｂを壁面等に固定するための取付具１０において、各面が前記板材２０とほぼ同一平面に揃うように、前記板材２０に設けた凹状差込部２３に収容可能であって、且つ、前記板材２０への固着手段６と、前記壁面への固定手段１１とを備えている。【選択図】    図１                
2005027958.tif 000002
【特許請求の範囲】
【請求項１】
板材により物品収納可能に構成された収納体を壁面等に固定するための取付具において、
各面が前記板材とほぼ同一平面に揃うように、前記板材に設けた凹状差込部に収容可能であって、且つ、前記板材への固着手段と、前記壁面への固定手段とを備えることを特徴とする収納体の取付具。
【請求項２】
前記固着手段と前記固定手段を備えた本体部と、前記固着手段と前記固定手段を覆う着脱自在のカバー部とで構成されており、且つ、前記板材とほぼ同じ厚みを有することを特徴とする請求項１に記載の収納体の取付具。
【請求項３】
前記固定手段は、ピン打ちのためのピン孔を備えており、且つ、前記ピン孔が前記壁面に対して斜め方向に形成されていることを特徴とする請求項１または請求項２の何れかに記載の収納体の取付具。
【発明の詳細な説明】
【技術分野】
【０００１】
本発明は、飾り棚や収納ボックス等の物品収納体を壁面等に見栄え良く固定することのできる取付具に関する。
【背景技術】
【０００２】
従来より、壁面等に飾り棚や収納ボックス等の収納体を固定する取付手段として、Ｌ字金具やアンカー等が知られている。Ｌ字金具は、この収納体を構成する板材の両端付近に配置されて、その垂直部を壁面に固定すると共に、水平部を板材の上面や下面に固定することにより、収納体を壁面に固定するようになっている。そして、固定手段として、通常釘止めやネジ止めを用いている。このような、Ｌ字金具を用いた飾り棚の取付機構として特許文献１が開示されている。
【０００３】
また、収納体を単体で取り付ける場合もあるが、近年では、着脱自在な各種棚板や収納ボックスを壁面に多数取り付けることにより、壁面を任意の区画に仕切って、壁面全体に見栄えの良い収納エリアを構成するようにした装飾的な使い方が多くなってきている。
【特許文献１】特開２０００−３３０２０号公報
【発明の開示】
【発明が解決しようとする課題】
【０００４】
ところが、従来のように、取付具にＬ字金具等を用いた場合は、板材や壁面に取付金具のアームやネジ、釘等が露出した状態となっており、美観上あまり好ましいものではなかった。また、板材の表面に取付金具が露出している状態では、板面に埃や塵が付着した場合、清掃し難いばかりでなく、板材の上面に物を載せておきたい場合も、取付金具が邪魔になって載置場所が制限され、板面を有効に利用することはできなかった。特に、複数の収納体を体裁良く取り付けたい場合でも、この取付金具が邪魔になって隣り合う収納体同士を隙間無く整然と配置することはできず、装飾効果が半減することもある。
【０００５】
本発明は、このような不都合に鑑みて成されたもので、壁面への取り付けや取り外しが容易にでき、且つ、美観上も好ましい取り付けができる収納体の取付具を提供することを目的としている。
【課題を解決するための手段】
【０００６】
すなわち、請求項１に記載の本発明は、板材により物品収納可能に構成された収納体を壁面等に固定するための取付具において、各面が前記板材とほぼ同一平面に揃うように、前記板材に設けた凹状差込部に収容可能であって、且つ、前記板材への固着手段と、前記壁面への固定手段とを備えることを特徴としている。
本構成では、収納体が壁面に固定された状態で、収納体の表面は全面フラットな状態となっている。このため、板面の清掃が容易に行え、且つ、取付具が邪魔にならずに板面上に物を載せておくことができるようになる。
また、収納体を多数組み合わせて使用したい場合は、隣り合う収納体を隙間無く整然と配置することができるため、見栄えの良い収納エリアを構成できる。  また、請求項２に記載の本発明は、請求項１に記載の収納体の取付具において、前記固着手段と前記固定手段を備えた本体部と、前記固着手段と前記固定手段を覆う着脱自在のカバー部とで構成されており、且つ、前記板材とほぼ同じ厚みを有することを特徴としている。
本構成では、板材や壁面との取付部分はカバー部により覆われるため、取り付け用のネジやピンが露出せず、美観上も好ましい。
【０００７】
また、請求項３に記載の本発明では、請求項１または請求項２の何れかに記載の収納体の取付具において、前記固定手段は、ピン打ちのためのピン孔を備えており、且つ、前記ピン孔が前記壁面に対して斜め方向に形成されていることを特徴としている。
本構成では、壁面との固定にピンを使用するため、壁紙貼りの石膏ボード等に簡単に取り付けでき、且つ、ピンを斜めに打ち付けるようにしたので、ピン打ち作業も容易に行える。
【発明の効果】
【０００８】
以上、説明したように、本発明によれば、収納体を壁面に固定した際、収納体の上面や下面は釘やネジ、取付具等が突出していない全くフラットな状態にすることができ、これにより、板面の清掃を容易に行うことができ、且つ、取付具が邪魔にならずに上面全体を使用して自由に物を載せておくことができるようになる。
また、収納体を多数の組み合わせて使用したい場合でも、隣接する収納体を隙間無く整然とした状態で壁面に配置することができるため、室内に見栄えの良い装飾的な収納エリアを容易に構成することができる。
【発明を実施するための最良の形態】
【０００９】
以下、図１〜図４に基づいて本発明に係る収納体の取付具の一実施形態を説明する。
ここで、図１は取付具の収納体への取り付けを示す斜視図、図２は取付具の本体部の構造を示す図、図３は本体部の要部断面図、図４は取付具の壁面への取り付けを示す図である。
【００１０】
図１〜図３において、符号１０は取付具を示し、符号２０は飾り棚や収納ボックス等、各種の収納体Ｂを構成する板材の一部を示している。板材２０の壁面との取付木口２０ａに、凹部２１と陥没部２２を備えた差込部２３が形成されており、この差込部２３に取付具１０が嵌着されるようになっている。
【００１１】
取付具１０は、合成樹脂製の本体部１と着脱自在のカバー部２とで構成されている。
【００１２】
本体部１は、底板３と側板４と後板５で構成される上部開放の角状枠体であって、両側板４、４の内側には長手方向に延びる凹溝９が設けてある。また、後板５は、横方向の中央部分を凹状にして、内側に差込部２３への固着手段となるネジ６のネジ孔７を設けた四角状凸部８を突設すると共に、後板５の両隅に、壁面への固定手段となるピン１１のピン孔１２を設けた角状凸部１３を突設している。四角状凸部８のネジ孔７は板材２０の取付木口２０ａ面に対して垂直に設けてあり、角状凸部１３のピン孔１２は、図３に示すように、壁面に対して斜め下向きに設けてある。尚、図３において、壁面は後板５側となる。
【００１３】
このような構造の本体部１を板材２０に固着する場合は以下のように行う。
底部３側を下に向けて本体部１を取付木口２０ａの差込部２３に挿入し、その側板４、４を凹部２１に嵌合すると、各側板４、４の端面４ａ、４ａと四角状凸部８の端面８ａが、それぞれ凹部２１の壁面２１ａに当接し、且つ、底板３の先端側が陥没部２に収容される状態で、その端面３ａが、陥没部２の壁面２ａに当接し、本体部１は取付木口２ａと本体部１の後板５の面位置を同じくした状態で板材２０の差込部２３内にすっぽり収まる形となる。この状態で四角状凸部８のネジ孔７より凹部２１の壁面２１ａにネジ６止し、これで、本体部１を板材２０に固着できる。
【００１４】
一方、カバー部２は、幅方向の両側に係止片１５を垂設した長方形状の薄板部材で構成されており、この係止片１５の弾性を利用して、上方より先端部の駒部１４を側板４の凹溝９に嵌合することによりロックされ、本体部１の上部開口を施蓋することができる。このように、本体部１にカバー部２を取り付けた状態で、カバー部２の上面と板材２０の上面が面位置を同じくするように、取付具１０の厚み（高さ寸法）が設定されている。
カバー部２の中央縁部に設けた引掛１６に爪等の扁平体を差し込んで持ち上げると、係止片１５の弾性で、カバー部２は簡単に外れる。
【００１５】
上記構成の取付具１０を用いて収納ボックスＢ（例えば、四角形の板材２０を４枚組み合わせて構成した四角の枠体）を壁面に固定する場合は、図４に示すように、上下の板材２０の取付木口に設けた差込部２３に上記した要領で本体部１をネジ６で固着すると共に、この状態で、本体部１の２カ所（角状凸部１３、１３）よりピン１１にて壁面Ｗに固定すれば良い。
【００１６】
ピン打ち作業は、カバー部２を取り除いた状態で本体部１の上部開口から行うことができ、且つ、ピン打ちし易い斜め前方からの作業であるため、壁面Ｗへの固定は容易に行えるものである。尚、図４においては、上板２０の固定は斜め下打ちとなり、下板２０の固定は、斜め上打ち作業となる。
このように、壁面Ｗへの固定手段にピン１１を使用することにより、収納体Ｂを壁紙貼りの石膏ボード等に簡単に固定することができる。
【００１７】
壁面Ｗへのピン止め後、本体部１の上部開口をカバー部２にて施蓋して収納ボックスＢの壁面Ｗへの固定作業は終了する。カバー部２で施蓋することにより、取付用のネジ６やピン１１の頭部が目隠しされて外部より見えなくなるため、美観上極めて好ましい状態となる。
【００１８】
尚、板材２０に使用する取付具１０の数は、壁面Ｗに固定する収納体Ｂのサイズや重量、或いは、載置する収納物の重さ等を考慮して適宜決定すればよい。但し、板材２０には、取付具１０の数に応じてその取付木口２０ａに差込部２３を設けておく必要がある。
【００１９】
このように、本発明の取付具１０を用いると、図４に示すように、収納体Ｂが壁面Ｗに固定された状態で、収納体Ｂの上面は全面フラットな状態となっている。このため、板面２０の上面に埃や塵が付着した場合の清掃が容易となり、且つ、取付具１０に邪魔されることなく上面全体を自由に使用して物を載せておくことができる。
また、収納体Ｂを多数の組み合わせて使用したい場合でも、隣接する収納体Ｂを隙間無く整然とした状態で壁面Ｗに配置することができるため、室内に見栄えの良い装飾的な収納エリアを容易に構成することがきる。
【図面の簡単な説明】
【００２０】
【図１】本発明の取付具の収納体への取り付けを示す斜視図。
【図２】本発明の取付具の本体部の構造を示し、（ａ）は平面図、（ｂ）は正面図、（ｃ）は背面図、（ｄ）は側面図。
【図３】図２（ｂ）のＡ−Ａ断面図。
【図４】本発明の取付具の壁面への取付を示す図。
【符号の説明】
【００２１】
１  本体部
２  カバー部
６  固着手段（ネジ）
１０  取付具
１１  固定手段（ピン）
１２  ピン孔
２０  板材
２３  凹状差込部
Ｂ  収納体
Ｗ  壁面
【図１】
2005027958.tif 000003
【図２】
2005027958.tif 000004
【図３】
2005027958.tif 000005
【図４】
2005027958.tif 000006